(57)【要約】      （修正有）【課題】多くの手間、時間、費用を要さない、コンクリ−ト構造物の止水手段を提供する。【解決手段】コンクリート構造物の構築のための型枠を構造物の形状に合わせて組み固めるセパレーターにおいて、棒状を呈し、長さ方向に垂直な断面が円形であり、両端に螺子部３を備え、その螺子部３に近接した通常凹部４を有するとともに、螺子溝状止水用凹部６１と螺子山部６２とを有し、止水機能を発揮する、型枠間隔保持用のセパレータ８１を使用する。【選択図】図８Ａ
2010065505.tif 000002
【特許請求の範囲】
【請求項１】
棒状を呈し、長さ方向に垂直な断面が円形であり、両端に螺子部を備え、その螺子部に近接した通常凹部を有するとともに、
その通常凹部から離隔して形成された止水用凹部を有する型枠間隔保持用のセパレータ。
【請求項２】
前記止水用凹部が、長さ方向に垂直の方向に、周面全体にわたって、リング状に形成される請求項１に記載のセパレータ。
【請求項３】
前記止水用凹部が、一端から他端に向かう方向に回りながら、スパイラル状に形成される請求項１に記載のセパレータ。
【請求項４】
前記回りながらスパイラル状に形成される止水用凹部が、密接し連続している請求項３に記載のセパレータ。
【請求項５】
前記止水用凹部と、止水用凹部ではない部分との境界に、凸部を有する請求項１〜４の何れか一項に記載のセパレ−タ。
【請求項６】
前記止水用凹部の数が、１つ以上、６つ以下、である請求項１〜５の何れか一項に記載のセパレ−タ。
【請求項７】
長さ方向の中間に、他の部分に比して細い細径部を有し、細径部と、そうでない部分と、の間の径が滑らかに変化している請求項１〜６の何れか一項に記載のセパレ−タ。
【請求項８】
前記細径部の数が、複数である請求項７に記載のセパレ−タ。
【請求項９】
前記止水用凹部が、少なくとも２つ備わり、
それら止水用凹部のうち２つの止水用凹部の中間に、長さ方向に垂直な断面において中心を通る一の方向でへこみ他の方向で出っ張った、止水用板状部を有する請求項１〜８の何れか一項に記載のセパレ−タ。
【請求項１０】
前記止水用板状部の数が、複数である請求項９に記載のセパレ−タ。
【請求項１１】
棒状を呈し、長さ方向に垂直な断面が円形であり、両端に螺子部を備え、その螺子部に近接した凹部を有するとともに、
長さ方向に垂直な断面において中心を通る一の方向でへこみ他の方向で出っ張った、止水用板状部を有する型枠間隔保持用のセパレ−タ。
【発明の詳細な説明】
【技術分野】
【０００１】
本発明は、型枠の間隔を保持するために使用されるセパレ−タに関する。
【背景技術】
【０００２】
コンクリート構造物の構築は、セパレータを用いて型枠を構造物の形状に合わせて組み固め、その空間へコンクリートを投入、打設（生コンクリ−ト締め固め）、凝結、硬化といった過程を経て、構築（作製）される。
【０００３】
その際、コンクリートの硬化が、ある程度進行すれば、コンクリ−ト構造物内に残留するセパレ−タの直下において、極めて細い線状の空隙（肉眼では確認不可能）が生じ、その空隙を水が伝い、漏水の原因となる。
【０００４】
これに対し、特にコンクリート構造物が地下に係る構造物及び水槽等である場合には漏水があってはならない。又、水路等であっても、同じく漏水には厳しく対処しなければいけない場合もある。従って、多くの手間と費用を投じて、止水対策が施される。そして、完璧なる止水施工がなされていなければ、再度、多くの手間、（時間）及び費用をかけ、やり直し工事が施される。そのため、コンクリート構造物の構築（作製）における工期の遅延を招くこともある。
【発明の開示】
【発明が解決しようとする課題】
【０００５】
止水対策としては、（Ａ）本来、使用が禁じられているゴム製又はプラスチック製の止水板をセパレ−タ中間部にセッティングして用いる、（Ｂ）セパレ−タに取り付けたＰコンを抜き取った後の（通常）凹部において、防水材料を充填して止水する、（Ｃ）セパレ−タの中間に、溶接により鍔を設ける、等の手段を挙げることが出来る。
【０００６】
しかしながら、（Ａ）の手段では、コンクリ−ト構造物内にゴムやプラスチックが残留するので、それが原因となって、将来の欠陥発生を導くおそれがある。又、（Ｂ）の手段を用いた場合には、気温の寒暖差、及びコンクリート躯体と止水のための（防水）材料との伸縮差、等によって、数年経過後には、欠陥が発生する事案も、多々、見受けられる。更に、（Ｃ）の手段は、かなり高度な溶接技術が必要であり、手間（時間）及び費用がかかることから、敬遠され、あまり採用されていない。
【０００７】
本発明は、このような事情に鑑みてなされたものであり、その課題は、多くの手間、（時間）及び費用を要さないコンクリ−ト構造物の止水手段を提供することである。
【０００８】
永年、研究が重ねられた結果、セパレ−タ自体に、鍔とは異なる止水機能発揮手段を持たせることによって、上記課題を解決出来ることが見出された。具体的には、本発明によれば、以下の手段が提供される。
【課題を解決するための手段】
【０００９】
即ち、本発明によれば、棒状を呈し、長さ方向に垂直な断面が円形であり、両端に螺子部を備え、その螺子部に近接した（２つの）通常凹部を有するとともに、その通常凹部から離隔して形成された止水用凹部を有する型枠間隔保持用のセパレータが提供される（本発明に係る第１のセパレータともいう）。
【００１０】
本発明に係るセパレータは、棒状を呈し、長さ方向に垂直な断面が円形であり、両端に螺子部を備え、その螺子部に近接した通常凹部を有するものであり、この部分（発明特定事項）だけを捉えれば、通常の丸セパレータである。即ち、上記第１のセパレータについては、これは止水用凹部を有する丸セパレータであるということが出来る。棒状を呈して長さ方向に垂直な断面が円形であるのは、通常の丸セパレータに相当する部分である。
【００１１】
本発明に係る第１のセパレータにおいて、止水用凹部は、通常凹部から離隔して形成される。即ち、螺子部及び通常凹部が設けられる両端以外の部分に、止水用凹部は存在する。止水用凹部とは、止水能力を発揮する、周囲（通常の丸セパレータに相当する部分）から凹んだ部分である。
【００１２】
尚、通常の丸セパレータは、螺子部に近接して凹部（通常凹部）を有しているが、この通常凹部は、Ｐコン、ワッシャ−等の締め過ぎストッパー用、及びセパレ−タの螺子部をコンクリ−ト硬化後、折り（取る）易くするために設けられた凹部であり、止水のための凹部ではなく、止水機能を有していない。
【００１３】
本発明に係る第１のセパレータにおいては、止水用凹部は、通常凹部から５ｃｍ以上離隔して形成されることが好ましい。
【００１４】
本発明に係る第１のセパレータにおいては、止水用凹部が、（セパレータの）長さ方向に垂直の方向に、周面全体にわたって、リング状に形成されることが好ましい。本明細書において、この場合の止水用凹部をリング状止水用凹部と呼ぶことがある。
【００１５】
本発明に係る第１のセパレータにおいては、止水用凹部が、一端から他端に向かう方向に回りながら、スパイラル状に形成されることが好ましい。本明細書において、この場合の止水用凹部をスパイラル状止水用凹部と呼ぶことがある。そして、この場合において、その回りながらスパイラル状に形成される止水用凹部が、密接し連続していることが好ましい。本明細書において、この密接し連続しているスパイラル状止水用凹部を、荒い螺子溝状であるので、螺子溝状止水用凹部ということがある。（連続していない）スパイラル状止水用凹部の場合には、セパレータの長さ方向の何れの直線上においても、３つ又はそれ以上、スパイラル状止水用凹部が現れるようにすることが好ましい。
【００１６】
本発明に係る第１のセパレータにおいて、止水用凹部の幅は、５〜７ｍｍであることが好ましい。又、止水用凹部の幅及び深さは、通常凹部と比して規定することが出来る。即ち、本発明に係る第１のセパレータにおいて、止水用凹部の幅は、通常凹部に比して僅かに長い（拡がっている）ことが好ましく、具体的には、通常凹部に比して０．１〜０．５ｍｍ長い（拡がっている）ことが好ましい。又、止水用凹部の深さは、通常凹部に比して僅かに浅いことが好ましく、具体的には、０．１〜１．０ｍｍ浅いことが好ましい。止水用凹部の幅は、止水用凹部がセパレータの長さ方向に垂直に周面全体にわたってリング状に形成される場合には、セパレータの長さ方向の距離であり、止水用凹部がスパイラル状に形成される場合には、そのスパイラル状の止水用凹部の進行方向に垂直な方向の距離である。
【００１７】
本発明に係る第１のセパレータにおいては、止水用凹部と、止水用凹部ではない部分との境界に、凸部を有することが好ましい。
【００１８】
この凸部は、尖端なものであることが好ましい。又、この凸部は、止水用凹部と、止水用凹部ではない部分との境界に、（部分的ではなく）連続して形成されることが好ましい。凸部が境界の全てに形成されていれば、より好ましい。この凸部は、止水用凹部の深さに比して、低くてもよい。
【００１９】
本発明に係る第１のセパレータにおいては、止水用凹部の数が、１つ以上、６つ以下、であることが好ましい。
【００２０】
止水用凹部が、スパイラル状に形成される場合であっても、連続していれば１つであるが、止水用凹部の数が多ければ多いほど、止水能力は高まり、高水圧であっても、漏水が起こり難い。
【００２１】
本発明に係る第１のセパレータにおいては、長さ方向の中間に、他の部分に比して細い細径部を有し、細径部と、そうでない部分（本体部）と、の間の径が滑らかに変化していることが好ましい。この場合において、細径部の数が、複数であることが好ましい。勿論、細径部の数は、１つでもよい。
【００２２】
本発明に係る第１のセパレータにおいては、止水用凹部が、（間隔をあけて）少なくとも２つ備わり、それら止水用凹部のうち２つの止水用凹部の中間に、長さ方向に垂直な断面において中心を通る一の方向でへこみ他の方向で出っ張った、止水用板状部を有することが好ましい。この場合において、止水用板状部の数が、複数であることが好ましい。勿論、止水用板状部の数は、１つでもよい。
【００２３】
本明細書において、止水用板状部と記すが、丸セパレータの細長い円柱形状に比べて、相対的に板状であることを表現したものであり、長さ方向に垂直な断面において中心を通る一の方向でへこみ他の方向で出っ張った部分であればよく、厳密な意味で板状である必要はない。但し、厳密な意味で板状である（２つの平行な平面で形成される）方が、止水能力は、より高い。
【００２４】
尚、この止水用板状部は、単独で存在していてもよい。即ち、本発明によれば、棒状を呈し、長さ方向に垂直な断面が円形であり、両端に螺子部を備え、その螺子部に近接した通常凹部を有するとともに、長さ方向に垂直な断面において中心を通る一の方向でへこみ他の方向で出っ張った、止水用板状部を有する型枠間隔保持用のセパレ−タが提供される（本発明に係る第２のセパレータともいう）。
【００２５】
本明細書において、単に本発明に係るセパレータというときは、第１のセパレータと第２のセパレータの両方を包含するものとする。第２のセパレータは、止水用板状部を有する丸セパレータである。
【００２６】
本発明に係るセパレータでは、本体部の径や全体の長さは、構築されるコンクリート構造物の大きさや形状等を勘案して、最適なものを選ぶことが出来る。
【発明の効果】
【００２７】
本発明に係るセパレータは、止水用凹部、又は、細径部、止水用板状部を有することによって、止水機能を発揮する。即ち、本発明に係るセパレータは、セパレータ自体が、止水機能を有しており、コンクリート構造物の漏水を断ち切るので、事後的な止水対策は不要であり、従来、止水処理に要していた手間、（時間）及び費用を省くことが出来る。又、ゴム製又はプラスチック製の止水板等を必要としないので、コンクリ−ト構造物内に鉄以外の物質が残留することによる将来的な悪影響のおそれを払拭することが出来る。本発明に係るセパレータを用いて型枠を組み固めれば、強固なコンクリート構造物を、安く、速く、構築（作製）することが可能である。
【発明を実施するための最良の形態】
【００２８】
以下、本発明について、適宜、図面を参酌しながら、実施の形態を説明するが、本発明はこれらに限定されて解釈されるべきものではない。本発明の要旨を損なわない範囲で、当業者の知識に基づいて、種々の変更、修正、改良、置換を加え得るものである。例えば、図面は、好適な本発明の実施の形態を表すものであるが、本発明は図面に表される態様や図面に示される情報により制限されない。本発明を実施し又は検証する上では、本明細書中に記述されたものと同様の手段若しくは均等な手段が適用され得るが、好適な手段は、以下に記述される手段である。
【００２９】
先ず、本発明に係るセパレータについて、その形態ないし構造、及び作用を説明する。図１、図５、及び図６は、本発明に係る第１のセパレータの一の実施形態を示す図である。図１は、セパレータ全体を表す正面図であり、図５は、図１に示されるセパレータがコンクリート構造物に残留された状態において、その止水用凹部を拡大して示す断面図であり、図６は、セパレータがコンクリート構造物に残留された状態における図１のＡＡ断面矢視図である。
【００３０】
図１に示されるセパレータ１は、全体として棒状を呈し、長さ方向（図１において左右方向）に垂直な断面が円形であり（図６を参照）、両端に２つの螺子部３を備え、その螺子部３に近接した２つの通常凹部４を有する。そして、通常凹部４から本体部２を介し離隔して形成されたリング状止水用凹部５を１つ有し、更に、リング状止水用凹部５とリング状止水用凹部５ではない部分（本体部２）との境界（図５における境界Ｅ１部分）の全てに連続して形成された凸部８を有する。本発明に係るセパレータにおいて、本体部２とは、リング状止水用凹部５等が設けられていない部分であって、両端の螺子部３及び通常凹部４の間の、通常の丸セパレータと変わらない部分を指し、一般に円柱状（丸棒状）を呈する。
【００３１】
セパレータ１において、止水機能は、リング状止水用凹部５が設けられることにより、リング状止水用凹部５を形成する面と本体部２（を形成する面）との境界Ｅ１の近傍で発揮される。具体的には、リング状止水用凹部５が備わることによって、境界Ｅ１（凸部８）からＦ１点（凹部内空隙分岐点）の間（図５において２つ存在する）は、コンクリ−トが密着し、空隙１５（水道、水の流路）は生じない（図１及び図５を参照）。即ち、セパレータ１がコンクリート構造物に残留された状態において、コンクリート２０と本体部２との間に空隙１５が生じ、ここを、（例えば図５において左側から右側へ）水が通過しようとしても、２つの境界Ｅ１においては空隙１５が遮断されているから、コンクリート構造物が地下に係る構造物及び水槽や水路等である場合でも、漏水は起こらない。
【００３２】
図２及び図３は、本発明に係る第１のセパレータの他の実施形態を示す図であり、セパレータ全体を表す正面図である。図２に示される態様ではリング状止水用凹部５が２つ備わり、図３に示される態様ではリング状止水用凹部５が４つ備わる。リング状止水用凹部５が多い分だけ、水の流路は確実に遮断され、止水能力は高まる。この点を除き、図２及び図３に示されるセパレータは、セパレータ１と同じものである。
【００３３】
図４は、本発明に係る第１のセパレータの他の実施形態を示す図であり、セパレータ全体を表す正面図である。図４に示されるセパレータ４１では、長さ方向の中間に、本体部２（他の部分）に比して細い細径部７を有する。細径部７と本体部２との間（段差部１７）は、滑らかに変化している。段差部１７は、滑らかな形状としてあり、曲がり（又は折れ）難く、通常凹部や細径部に比し、些かたりとも強度的に劣ることはない。
【００３４】
セパレータ４１において、細径部７の存在により、段差部１７を形成する面と本体部２を形成する面との境界、及び本体部２と細径部７の間に段差が生じ、水道が遮断されることによって、止水機能が発揮される。
【００３５】
図７Ａ及び図７Ｂは、本発明に係る第１のセパレータの他の実施形態を示す図である。図７Ａはセパレータ全体を表す正面図である。図７Ｂは止水用凹部を拡大して示す断面図であり、寸法の一例を示す図である。尚、図７Ｂは典型的な止水用凹部の形状を表した模式図であり、そこに例示された寸法は実寸を示すものではない。図７Ａ及び図７Ｂに示されるセパレータ７１では、一端から他端に向かう方向に回りながらスパイラル状に形成される（例えば）１つのスパイラル状止水用凹部６が備わる。セパレータ７１では、（例えば）本体部２の径は９ｍｍ、スパイラル状止水用凹部６の幅は６ｍｍ、深さは２ｍｍである。
【００３６】
セパレータ７１がコンクリート構造物に残留された状態では、コンクリートと本体部２との間に空隙が生じ、ここを水が通過しようとしても、セパレータ７１においては、スパイラル状止水用凹部６の存在により、スパイラル状止水用凹部６と本体部２との境界によって、空隙（水道）は遮断され、止水機能が発揮される。
【００３７】
スパイラル状止水用凹部６を有するセパレータ７１は、長さ方向に垂直な断面において存在する、（本体部２に対して）凹んでいる部分は一個所であるから、他の態様より強度面で優れている。
【００３８】
図８Ａ及び図８Ｂは、それぞれ本発明に係る第１のセパレータの他の実施形態を示す図である。図８Ａはセパレータ全体を表す正面図であり、図８Ｂは、図８Ａに示されるセパレータの止水用凹部を拡大して示す正面図である。
【００３９】
図８Ａ及び図８Ｂに示されるセパレータ８１は、スパイラル状に密接し連続して形成された止水用凹部（螺子溝状止水用凹部）を有し、螺子溝状止水用凹部６１どうしの間の境界Ｅ２には螺子山部６２が存在する。セパレータ８１において、止水機能は、連続した螺子溝状止水用凹部６１が設けられることにより、螺子山部６２の近傍で発揮される。具体的には、螺子溝状止水用凹部６１が備わることによって、境界Ｅ２（螺子山部６２）からＦ２点（凹部内空隙分岐点）の間は、コンクリ−トが密着し、空隙（水道、水の流路）は生じない。即ち、セパレータ８１がコンクリート構造物に残留された状態において、コンクリートと本体部２との間に空隙が生じ、ここを水が通過しようとしても、境界Ｅ２の近傍においては空隙が遮断され、断続的に複数の空隙遮断作用を発現するから、高い止水能力が発揮され、コンクリート構造物が地下に係る構造物及び水槽や水路等である場合でも、漏水は起こらない。
【００４０】
図９Ａ、図９Ｂ、及び図９Ｃは、本発明に係る第２のセパレータの一の実施形態を示す図である。図９Ａはセパレータ全体を表す正面図であり、図９Ｂはセパレータ全体を表す平面図であり、図９Ｃは図９ＢにおけるＢＢ断面矢視図である。図９Ａ、図９Ｂ、及び図９Ｃに示されるセパレータ９１は、全体として棒状を呈し、長さ方向（図９Ａ及び図９Ｂにおいて左右方向）に垂直な断面が円形であり（図９Ｃを参照、本体部２のことである）、両端に２つの螺子部３を備え、その螺子部３に近接した２つの通常凹部４を有する。そして、概ね中央部分（長さ方向の中間部分）に、止水用板状部９を有する。止水用板状部９は、セパレータ９１の長さ方向に垂直な断面において中心を通る一の方向でへこみ他の方向で出っ張っている（図９Ｃを参照）。
【００４１】
セパレータ９１において、止水機能は、止水用板状部９の存在により、止水用板状部９と本体部２（を形成する面）との間に段差が設けられることによって発揮される。具体的には、止水用板状部９が備わることによって、本体部２との間の段差により、空隙（水道）が遮断され、漏水が阻止される。コンクリート構造物が地下に係る構造物及び水槽や水路等である場合でも、漏水は阻止される。
【００４２】
次に、本発明に係るセパレータの使用方法について説明する。図１０及び図１１は、本発明に係るセパレータの使用方法を説明するための図であり、図１０はセパレータにＰコンを取り付けた状態（図１０では一端のみ）を表した正面図であり、図１１は型枠で構造物の形状の空間を形成した状態を表した斜視図である。
【００４３】
本発明に係るセパレータの使用方法は、通常の丸セパレータと同じであり、型枠の間隔を保持するための部材として使用される。例えば、型枠１１の片側を正しい位置に立設し、セパレータの取り付け位置を、夫々、決定し、穿孔する。セパレ−タ１にＰコン１０を取り付けた先端を型枠１１の内面より、その孔に差込み、外側より締め付け金具１３のフォームタイをＰコン１０の螺子に螺合する。そして、型枠１１の外側にヨコバタ１２（タテバタを足し添える場合もある）を添え、締め付け金具１３の当金で固定すればよい。そして、対向する側の型枠も、略同作業を繰り返す。
【００４４】
次に、本発明に係るセパレータを製造する方法について説明する。本発明に係る第１のセパレータは、通常の丸セパレータの仕上がりの前工程において、切削加工等の機械加工を施し、止水用凹部等を形成して、得ることが出来る。本発明に係る第２のセパレータ及び本発明に係る第１のセパレータは、セパレ−タ製造後、鍛造方式である公知の成形方法によって、止水用板状部を有する形状に成形して、得ることが出来る。
【実施例】
【００４５】
以下、本発明を実施例に基づいて具体的に説明するが、本発明はこれらの実施例に限定されるものではない。
【００４６】
（実施例１）市販の丸セパレータを切削加工して、図４に示されているセパレ−タ（長さは３００ｍｍ、３５０ｍｍ、５００ｍｍ）を、多数、製造し、それを使用して型枠を組み固め、壁厚３００ｍｍ、３５０ｍｍ、５００ｍｍの水槽を計５基構築した。脱型後に、水を張り、１５日〜２５日経過した後で目視による漏水確認を行ったところ、５基ともに、漏水ゼロであり、滲水すら確認することが出来なかった。
【００４７】
（実施例２）市販の丸セパレータを切削加工して、図１に示されているセパレ−タ（長さは１５０ｍｍ、２５０ｍｍ）を製造した。又、鍛造方式によって、図９に示されているセパレ−タ（長さは２５０ｍｍ）を製造した。そして、それらを併用して、横幅１ｍ、奥行１ｍ、高さ２．７ｍの桝型枠を組み固めた。コンクリ−ト打設、養生、脱型後に、水を張り、７ヶ月経過した後で目視による漏水確認を行ったところ、製造したこれらのセパレータを使用した個所は漏水なく、滲水すら確認することが出来なかった。
【産業上の利用可能性】
【００４８】
本発明に係るセパレータは、コンクリート構造物を、型枠を使用して構築（作製）する場合に、型枠の間隔を保持するための部材として、使用される。特に、漏水があってはならない、コンクリート構造物が地下に係る構造物及び水槽や水路等である場合に、好適に利用される。
【図面の簡単な説明】
【００４９】
【図１】本発明に係る第１のセパレータの一の実施形態を示す図であり、セパレータ全体を表す正面図である。
【図２】本発明に係る第１のセパレータの他の実施形態を示す図であり、セパレータ全体を表す正面図である。
【図３】本発明に係る第１のセパレータの他の実施形態を示す図であり、セパレータ全体を表す正面図である。
【図４】本発明に係る第１のセパレータの他の実施形態を示す図であり、セパレータ全体を表す正面図である。
【図５】本発明に係る第１のセパレータの一の実施形態を示す図であり、図１に示されるセパレータがコンクリート構造物に残留する状態において、その止水用凹部を拡大して示す断面図である。
【図６】本発明に係る第１のセパレータの一の実施形態を示す図であり、セパレータがコンクリート構造物に残留された状態における図１のＡＡ断面矢視図である。
【図７Ａ】本発明に係る第１のセパレータの他の実施形態を示す図であり、セパレータ全体を表す正面図である。
【図７Ｂ】本発明に係る第１のセパレータの他の実施形態を示す図であり、止水用凹部を拡大して示す断面図である。
【図８Ａ】本発明に係る第１のセパレータの他の実施形態を示す図であり、セパレータ全体を表す正面図である。
【図８Ｂ】本発明に係る第１のセパレータの他の実施形態を示す図であり、図８Ａにおける止水用凹部を拡大して示す部分正面図である。
【図９Ａ】本発明に係る第２のセパレータの一の実施形態を示す図であり、セパレータ全体を表す正面図である。
【図９Ｂ】本発明に係る第２のセパレータの一の実施形態を示す図であり、セパレータ全体を表す平面図である。
【図９Ｃ】本発明に係る第２のセパレータの一の実施形態を示す図であり、図９ＢにおけるＢＢ断面矢視図である。
【図１０】本発明に係るセパレータの使用方法を説明するための図であり、セパレータにＰコンを取り付けた状態を表した正面図である。
【図１１】本発明に係るセパレータの使用方法を説明するための型枠組立図であり、型枠を構造物の形状に合わせて組み立てた状態を表した斜視図である。
【符号の説明】
【００５０】
１，４１，７１，８１，９１：セパレータ
２：本体部
３：螺子部
４：通常凹部
５：リング状止水用凹部
６：スパイラル状止水用凹部
７：細径部
８：凸部
９：止水用板状部
１０：Ｐコン
１１：型枠
１２：ヨコバタ
１３：締め付け金具
１４：Ｐコン締め過ぎストッパー
１５：空隙
１７：段差部
２０：コンクリ−ト
６１：螺子溝状止水用凹部
６２：螺子山部
【図１】
2010065505.tif 000003
【図２】
2010065505.tif 000004
【図３】
2010065505.tif 000005
【図４】
2010065505.tif 000006
【図５】
2010065505.tif 000007
【図６】
2010065505.tif 000008
【図７Ａ】
2010065505.tif 000009
【図７Ｂ】
2010065505.tif 000010
【図８Ａ】
2010065505.tif 000011
【図８Ｂ】
2010065505.tif 000012
【図９Ａ】
2010065505.tif 000013
【図９Ｂ】
2010065505.tif 000014
【図９Ｃ】
2010065505.tif 000015
【図１０】
2010065505.tif 000016
【図１１】
2010065505.tif 000017